(57)【要約】【課題】同じ紙葉類に対する識別結果が異なるような事態を可能な限り避ける。【解決手段】第１紙葉類鑑別装置と、第２紙葉類鑑別装置とを備える紙葉類鑑別システムであって、第２紙葉類鑑別装置は、第２設定値を基準として紙葉類の真偽を鑑別する第２鑑別部と、前工程データを取得する第１取得部と、を含み、第２鑑別部は、第２設定値を基準として紙葉類が偽である偽紙葉類と鑑別すると、偽紙葉類の特定記号に対応付けられた第１設定値及び第１鑑別結果を前工程データから抽出し、抽出した第１設定値及び第１鑑別結果に基づき第２設定値を緩和するか否かを決定し、第２設定値を緩和すると、緩和された第２設定値を基準として偽紙葉類の真偽を鑑別する。【選択図】図５
2018180888.tif 000002
【特許請求の範囲】
【請求項１】
第１紙葉類鑑別装置と、第２紙葉類鑑別装置とを備える紙葉類鑑別システムであって、
前記第１紙葉類鑑別装置は、
紙葉類の表面に記載され前記紙葉類を一意に特定する特定記号を読み取る第１読取部と、
第１設定値を基準として前記紙葉類の真偽を鑑別する第１鑑別部と、
前記第１鑑別部により真正と鑑別された紙葉類である真正紙葉類を収納する第１収納部と、
を含み、
前記第１鑑別部は、前記真正紙葉類の、前記特定記号と前記第１設定値と前記第１鑑別部による第１鑑別結果とが互いに対応付けられた前工程データを生成し、
前記第２紙葉類鑑別装置は、
前記第１収納部から取り出され投入口に投入された前記紙葉類の表面に記載された前記特定記号を読み取る第２読取部と、
第２設定値を基準として前記紙葉類の真偽を鑑別する第２鑑別部と、
前記第２鑑別部により真正と鑑別された前記紙葉類を収納する第２収納部と、
前記前工程データを取得する第１取得部と、
を含み、
前記第２鑑別部は、
前記第２設定値を基準として前記紙葉類が偽である偽紙葉類と鑑別すると、前記偽紙葉類の前記特定記号に対応付けられた前記第１設定値及び前記第１鑑別結果を前記前工程データから抽出し、
抽出した前記第１設定値及び前記第１鑑別結果に基づき前記第２設定値を緩和するか否かを決定し、
前記第２設定値を緩和すると、緩和された前記第２設定値を基準として前記偽紙葉類の真偽を鑑別する、
紙葉類鑑別システム。
【請求項２】
前記第２鑑別部は、前記第１設定値と前記紙葉類から得られる第１検出信号とのレベル差、又は前記レベル差を前記第１設定値で除算した商が、第１閾値未満であるときに、前記第２設定値を緩和すると決定する、
請求項１に記載の紙葉類鑑別システム。
【請求項３】
前記第２鑑別部は、前記第２設定値を基準として前記紙葉類が偽である偽紙葉類と鑑別すると、前記第１設定値及び前記第１鑑別結果に加えて、前記第２設定値及び前記第２設定値を基準とする第２鑑別結果に基づき、前記第２設定値を緩和するか否かを決定する、
請求項１に記載の紙葉類鑑別システム。
【請求項４】
前記第２鑑別部は、前記第１設定値と前記紙葉類から得られる第１検出信号との第１レベル差、又は前記第１レベル差を前記第１設定値で除算した商が、第１閾値未満であり、かつ、前記第２設定値と前記紙葉類から得られる第２検出信号との第２レベル差、又は前記第２レベル差を前記第２設定値で除算した商が、第２閾値未満であるときに、前記第２設定値を緩和すると決定する、
請求項３に記載の紙葉類鑑別システム。
【請求項５】
前記第１設定値と前記第２設定値とは、同じ値である、
請求項１〜４のいずれか１項に記載の紙葉類鑑別システム。
【請求項６】
前記第１設定値と前記第２設定値とは、異なる値である、
請求項１〜４のいずれか１項に記載の紙葉類鑑別システム。
【請求項７】
第３紙葉類鑑別装置を更に備え、
前記第３紙葉類鑑別装置は、
前記第２収納部から取り出され投入口に投入された前記紙葉類の表面に記載された前記特定記号を読み取る第３読取部と、
第３設定値を基準として前記紙葉類の真偽を鑑別する第３鑑別部と、
前記第３鑑別部により真正と鑑別された前記紙葉類を収納する第３収納部と、
前記前工程データを取得する第２取得部と、
を含み、
前記第３鑑別部は、
前記第３設定値を基準として前記紙葉類が偽である偽紙葉類と鑑別すると、前記偽紙葉類の前記特定記号に対応付けられた前記第１設定値及び前記第１鑑別結果を前記前工程データから抽出し、
抽出した前記第１設定値及び前記第１鑑別結果に基づき前記第３設定値を緩和するか否かを決定し、
前記第３設定値を緩和すると、緩和された前記第３設定値を基準として前記偽紙葉類の真偽を鑑別する、
請求項１〜６のいずれか１項に記載の紙葉類鑑別システム。
【請求項８】
前記第１紙葉類鑑別装置及び前記第２紙葉類鑑別装置と通信可能に構成された鑑別データ管理装置を更に備え、
前記第１紙葉類鑑別装置は、前工程データを前記鑑別データ管理装置に送信する第１通信部を更に含み、
前記鑑別データ管理装置は、
前記第１紙葉類鑑別装置の前記第１通信部から送信された前記前工程データを受信する管理通信部と、
前記管理通信部により受信された前記前工程データを記憶する管理記憶部と、
を含み、
前記管理通信部は、前記管理記憶部に記憶された前記前工程データを前記第２紙葉類鑑別装置に送信し、
前記第１取得部は、前記管理通信部により送信された前記前工程データを受信する、
請求項１〜７のいずれか１項に記載の紙葉類鑑別システム。
【請求項９】
前記第１紙葉類鑑別装置は、通信可能に構成された持ち運び可能メモリに前記前工程データを保存する第１通信部を更に含み、
前記第１取得部は、前記前工程データが保存された前記持ち運び可能メモリから前記前工程データを取得する、
請求項１〜７のいずれか１項に記載の紙葉類取扱システム。
【発明の詳細な説明】
【技術分野】
【０００１】
本発明は、紙葉類を鑑別する紙葉類鑑別システムに関する。
【背景技術】
【０００２】
従来、例えば金融機関及び流通業の各店舗には、紙幣を処理する紙幣処理装置が設置されている。このような紙幣処理装置を備えるシステムとして、従来、自動紙幣取扱装置から回収した紙幣を紙幣処理装置に移送するように構成された特許文献１に記載のシステムが知られている。この特許文献１に記載のシステムでは、紙幣番号を読み取る自動紙幣取扱装置と紙幣処理装置とが、通信ネットワークを介して接続されている。自動紙幣取扱装置は、回収した紙幣の紙幣番号を紙幣処理装置に送信する。一方、紙幣処理装置は、移送された紙幣の紙幣番号を読み取り、読み取った紙幣番号と事前に受信した紙幣の紙幣番号とが不一致となる紙幣番号を特定する。このような構成により、特許文献１に記載のシステムでは、紙幣を確実に管理し、盗難等の発見と被害にあった紙幣の特定とを行うことが可能になっている。
【先行技術文献】
【特許文献】
【０００３】
【特許文献１】特開２００６−７２９１８号公報
【発明の概要】
【発明が解決しようとする課題】
【０００４】
しかしながら、上記特許文献１に記載のシステムでは、自動紙幣取扱装置から紙幣処理装置に紙幣を移送する場合に、各装置の間で同じ紙幣に対する識別結果が異なる事態が起こり得るという問題がある。すなわち、上記特許文献１に記載のシステムは、自動紙幣取扱装置から紙幣処理装置に紙幣を移送する際に、紙幣番号が一致する紙幣を特定する。しかしながら、各装置間において同じ紙幣に対する真偽等の識別結果が一致することを保証するものではない。このため、同じ紙幣に対する識別結果が異なるような事態が生じ得る。これらの点は、紙幣だけでなく、有価証券を含む紙葉類全般についても該当する。
【０００５】
本発明は、上記問題を解決するもので、装置から装置に紙葉類を移送する場合に、同じ紙葉類に対する識別結果が異なるような事態を可能な限り避けることができる紙葉類鑑別システムを提供することを目的とする。
【課題を解決するための手段】
【０００６】
本発明の一態様は、第１紙葉類鑑別装置と、第２紙葉類鑑別装置とを備える紙葉類鑑別システムであって、
前記第１紙葉類鑑別装置は、
紙葉類の表面に記載され前記紙葉類を一意に特定する特定記号を読み取る第１読取部と、
第１設定値を基準として前記紙葉類の真偽を鑑別する第１鑑別部と、
前記第１鑑別部により真正と鑑別された紙葉類である真正紙葉類を収納する第１収納部と、
を含み、
前記第１鑑別部は、前記真正紙葉類の、前記特定記号と前記第１設定値と前記第１鑑別部による第１鑑別結果とが互いに対応付けられた前工程データを生成し、
前記第２紙葉類鑑別装置は、
前記第１収納部から取り出され投入口に投入された前記紙葉類の表面に記載された前記特定記号を読み取る第２読取部と、
第２設定値を基準として前記紙葉類の真偽を鑑別する第２鑑別部と、
前記第２鑑別部により真正と鑑別された前記紙葉類を収納する第２収納部と、
前記前工程データを取得する第１取得部と、
を含み、
前記第２鑑別部は、
前記第２設定値を基準として前記紙葉類が偽である偽紙葉類と鑑別すると、前記偽紙葉類の前記特定記号に対応付けられた前記第１設定値及び前記第１鑑別結果を前記前工程データから抽出し、
抽出した前記第１設定値及び前記第１鑑別結果に基づき前記第２設定値を緩和するか否かを決定し、
前記第２設定値を緩和すると、緩和された前記第２設定値を基準として前記偽紙葉類の真偽を鑑別するものである。
【０００７】
本態様では、第１鑑別部により真正と鑑別された紙葉類である真正紙葉類の、特定記号と第１設定値と第１鑑別結果とが互いに対応付けられた前工程データが、第２紙葉類鑑別装置の第１取得部により取得される。第２紙葉類鑑別装置において、第２設定値を基準として紙葉類が偽である偽紙葉類と鑑別されると、偽紙葉類の特定記号に対応付けられた第１設定値及び第１鑑別結果が前工程データから抽出される。抽出された第１設定値及び第１鑑別結果に基づき第２設定値を緩和するか否かが決定される。第２設定値が緩和されると、緩和された第２設定値を基準として偽紙葉類の真偽が鑑別される。
【０００８】
したがって、本態様によれば、第２紙葉類鑑別装置で偽と鑑別された紙葉類については、第１紙葉類鑑別装置で真正と鑑別されたときの第１設定値及び第１鑑別結果に基づき、第２設定値を緩和するか否かが決定されることから、第１紙葉類鑑別装置での鑑別結果を利用することができる。このため、同じ紙葉類に対する識別結果が異なるような事態を可能な限り避けることができる。よって、第１紙葉類鑑別装置で真正と鑑別された紙葉類が第２紙葉類鑑別装置で偽と鑑別されてしまうことを抑制することができる。したがって、紙葉類の取扱いが煩雑になることを抑制することができる。
【０００９】
また、本態様によれば、紙葉類が、古いもの又は汚れ、折れ、破れなどの損傷を含むものであるために、第１紙葉類鑑別装置で真正と鑑別されたにも拘らず、第２紙葉類鑑別装置で偽と誤って鑑別された場合についても、真正であると正しく鑑別することが可能になっている。
【００１０】
上記態様において、例えば、前記第２鑑別部は、前記第１設定値と前記紙葉類から得られる第１検出信号とのレベル差、又は前記レベル差を前記第１設定値で除算した商が、第１閾値未満であるときに、前記第２設定値を緩和すると決定してもよい。
【００１１】
本態様では、第１設定値と第１検出信号とのレベル差、又は該レベル差を第１設定値で除算した商が、第１閾値未満であるときに、第２設定値を緩和すると決定される。したがって、第１紙葉類鑑別装置で真正と鑑別されたときの余裕が小さいときに、第２設定値が緩和される。このため、本態様によれば、必要以上に第２設定値が緩和されることを防止することができる。
【００１２】
上記態様において、例えば、前記第２鑑別部は、前記第２設定値を基準として前記紙葉類が偽である偽紙葉類と鑑別すると、前記第１設定値及び前記第１鑑別結果に加えて、前記第２設定値及び前記第２設定値を基準とする第２鑑別結果に基づき、前記第２設定値を緩和するか否かを決定してもよい。
【００１３】
本態様では、第２設定値を基準として紙葉類が偽である偽紙葉類と鑑別されると、第１設定値及び第１鑑別結果に加えて、第２設定値及び第２設定値を基準とする第２鑑別結果に基づき、第２設定値を緩和するか否かが決定される。したがって、第１紙葉類鑑別装置での鑑別結果に加えて、第２紙葉類鑑別装置での鑑別結果に基づき、第２設定値を緩和するか否かが決定されることとなる。このため、本態様によれば、必要以上に第２設定値が緩和されることを防止することができる。
【００１４】
上記態様において、例えば、前記第２鑑別部は、前記第１設定値と前記紙葉類から得られる第１検出信号との第１レベル差、又は前記第１レベル差を前記第１設定値で除算した商が、第１閾値未満であり、かつ、前記第２設定値と前記紙葉類から得られる第２検出信号との第２レベル差、又は前記第２レベル差を前記第２設定値で除算した商が、第２閾値未満であるときに、前記第２設定値を緩和すると決定してもよい。
【００１５】
本態様では、第１設定値と第１検出信号との第１レベル差、又は該第１レベル差を第１設定値で除算した商が、第１閾値未満であり、かつ、第２設定値と第２検出信号との第２レベル差、又は該第２レベル差を第２設定値で除算した商が、第２閾値未満であるときに、第２設定値を緩和すると決定される。したがって、第１紙葉類鑑別装置で真正と鑑別されたときの余裕が小さく、かつ、第２紙葉類鑑別装置で偽と鑑別されたときの第２レベル差が小さいときに、第２設定値が緩和される。このため、本態様によれば、必要以上に第２設定値が緩和されることを防止することができる。
【００１６】
上記態様において、例えば、前記第１設定値と前記第２設定値とは、同じ値であってもよい。
【００１７】
上記態様において、例えば、前記第１設定値と前記第２設定値とは、異なる値であってもよい。
【００１８】
上記態様において、例えば、第３紙葉類鑑別装置を更に備えてもよい。前記第３紙葉類鑑別装置は、前記第２収納部から取り出され投入口に投入された前記紙葉類の表面に記載された前記特定記号を読み取る第３読取部と、第３設定値を基準として前記紙葉類の真偽を鑑別する第３鑑別部と、前記第３鑑別部により真正と鑑別された前記紙葉類を収納する第３収納部と、前記前工程データを取得する第２取得部と、を含んでもよい。前記第３鑑別部は、前記第３設定値を基準として前記紙葉類が偽である偽紙葉類と鑑別すると、前記偽紙葉類の前記特定記号に対応付けられた前記第１設定値及び前記第１鑑別結果を前記前工程データから抽出し、抽出した前記第１設定値及び前記第１鑑別結果に基づき前記第３設定値を緩和するか否かを決定し、前記第３設定値を緩和すると、緩和された前記第３設定値を基準として前記偽紙葉類の真偽を鑑別してもよい。
【００１９】
本態様では、前工程データは、第３紙葉類鑑別装置の第２取得部により取得される。第３紙葉類鑑別装置において、第３設定値を基準として紙葉類が偽である偽紙葉類と鑑別されると、偽紙葉類の特定記号に対応付けられた第１設定値及び第１鑑別結果が前工程データから抽出される。抽出された第１設定値及び第１鑑別結果に基づき第３設定値を緩和するか否かが決定される。第３設定値が緩和されると、緩和された第３設定値を基準として偽紙葉類の真偽が鑑別される。
【００２０】
したがって、本態様によれば、第３紙葉類鑑別装置で偽と鑑別された紙葉類については、第１紙葉類鑑別装置で真正と鑑別されたときの第１設定値及び第１鑑別結果に基づき、第３設定値を緩和するか否かが決定されることから、第１紙葉類鑑別装置での鑑別結果を利用することができる。このため、同じ紙葉類に対する識別結果が異なるような事態を可能な限り避けることができる。よって、第１紙葉類鑑別装置で真正と鑑別された紙葉類が第３紙葉類鑑別装置で偽と鑑別されてしまうことを抑制することができる。したがって、紙葉類の取扱いが煩雑になることを抑制することができる。
【００２１】
また、本態様によれば、紙葉類が、古いもの又は汚れ、折れ、破れなどの損傷を含むものであるために、第１紙葉類鑑別装置で真正と鑑別されたにも拘らず、第３紙葉類鑑別装置で偽と誤って鑑別された場合についても、真正であると正しく鑑別することが可能になっている。
【００２２】
上記態様において、例えば、前記第１紙葉類鑑別装置及び前記第２紙葉類鑑別装置と通信可能に構成された鑑別データ管理装置を更に備えてもよい。前記第１紙葉類鑑別装置は、前工程データを前記鑑別データ管理装置に送信する第１通信部を更に含んでもよい。前記鑑別データ管理装置は、前記第１紙葉類鑑別装置の前記第１通信部から送信された前記前工程データを受信する管理通信部と、前記管理通信部により受信された前記前工程データを記憶する管理記憶部と、を含んでもよい。前記管理通信部は、前記管理記憶部に記憶された前記前工程データを前記第２紙葉類鑑別装置に送信してもよい。前記第１取得部は、前記管理通信部により送信された前記前工程データを受信してもよい。
【００２３】
上記態様において、例えば、前記第１紙葉類鑑別装置は、通信可能に構成された持ち運び可能メモリに前記前工程データを保存する第１通信部を更に含んでもよい。前記第１取得部は、前記前工程データが保存された前記持ち運び可能メモリから前記前工程データを取得してもよい。
【発明の効果】
【００２４】
本発明によれば、第２紙葉類鑑別装置で偽と鑑別された紙葉類については、第１紙葉類鑑別装置で真正と鑑別されたときの第１設定値及び第１鑑別結果に基づき、第２設定値を緩和するか否かが決定されるため、同じ紙葉類に対する識別結果が異なるような事態を可能な限り避けることができる。
【図面の簡単な説明】
【００２５】
【図１】本実施形態の紙幣鑑別システムの構成例を概略的に示すブロック図である。
【図２】入金機の構成例を概略的に示すブロック図である。
【図３】受光素子アレイと搬送される紙幣とを概略的に示す図である。
【図４】サーバー装置の構成例を概略的に示すブロック図である。
【図５】計数機の構成例を概略的に示すブロック図である。
【図６】紙幣の真偽鑑別手法の一例を説明するためのタイミングチャートである。
【図７】整理機の構成例を概略的に示すブロック図である。
【図８】入金機の動作例を概略的に示すフローチャートである。
【図９】計数機の前工程データ取得手順の一例を概略的に示すフローチャートである。
【図１０】計数機の動作例を概略的に示すフローチャートである。
【発明を実施するための形態】
【００２６】
（本発明の基礎となった知見）
まず、本発明の基礎となった知見が説明される。従来、例えば流通業の各店舗に設置された入金機等の紙幣鑑別装置において、紙幣の真偽が鑑別され、真正と鑑別された紙幣は、現金センターに移送される。現金センターには、一般に、計数機及び整理機等の紙幣鑑別装置が設置されている。計数機において、紙幣の真偽が鑑別され、真正と鑑別された紙幣が計数される。整理機において、さらに紙幣の真偽が鑑別され、紙幣の正損判別が行われて、金種毎に収納される。正損判別とは、真券と鑑別された紙幣のうち、状態の良い正券と、汚れ、折れ、破れなどの損傷がある損券とを判別することをいう。
【００２７】
上述の例では、入金機と計数機と整理機とにおいて、紙幣の真偽の鑑別が３回行われているが、通常、それぞれの装置毎に設定された識別設定値を用いて真偽が鑑別される。このため、同じ紙幣に対する鑑別結果が各装置において一致するとは限らない。
【００２８】
紙幣の真偽は、一般に、紙幣の所定特性を検出する検出信号の、予め設定された識別設定値に対する大小関係に基づき、鑑別される。上記識別設定値は、通常、新しい紙幣が有する所定特性に対して予め設定される。このため、古い紙幣又は汚れた紙幣の真偽を鑑別したときには、例えば入金機で真正と鑑別されたときでも、計数機では、新札に比べて検出信号が紙幣の所定特性を十分に反映せず、検出信号が識別設定値を超えないため、紙幣が真正であっても偽と鑑別されることがあった。
【００２９】
このような紙幣については、検出信号が識別設定値の近傍で偽と鑑別されるため、何度か装置に通して鑑別を繰り返すと、真正と鑑別されることが多い。このため、装置の担当者は、偽と鑑別されて一旦リジェクトされた紙幣であっても、再鑑別を試みる。したがって、真正と鑑別されるまで鑑別動作が繰り返されるため、そのための手間及び時間が増大して生産性が低下する。
【００３０】
上述のように、各店舗及び現金センター等に設置された複数の紙幣鑑別装置において紙幣の鑑別作業をそれぞれ行うように運用されるが、識別設定値の近傍で鑑別された紙幣は、全ての工程で生産性を低下させることになる。
【００３１】
これは、前工程の装置における鑑別結果を後工程の装置に引き継いでいないことに起因すると考えられる。その結果、後工程の装置では、前工程の装置で既に一度真正と鑑別されているにも関わらず、その鑑別結果に関係なく再び真偽が鑑別されることになる。このため、生産性を向上することができない。
【００３２】
そこで、本発明者は、前工程の装置における鑑別結果を後工程の装置が利用できるようにすることによって、装置から装置に紙幣等の紙葉類を移送する場合に、同じ紙葉類に対する鑑別結果が異なるような事態を可能な限り避けることができる紙葉類鑑別システムを想到した。
【００３３】
（実施の形態）
以下、本発明の一実施の形態について、図面を参照しながら説明する。なお、各図面において、同じ構成要素には同じ符号が用いられ、詳細な説明は、適宜、省略される。
【００３４】
（構成）
図１は、本実施形態における紙幣鑑別システム１０の構成例を概略的に示すブロック図である。図１に示されるように、本実施の形態における紙幣鑑別システム１０は、入金機１００と、サーバー装置２００と、計数機３００と、整理機４００とを備える。入金機１００は、例えば流通業の各店舗に設置される。サーバー装置２００、計数機３００、整理機４００は、例えば、流通業の現金センターに設置される。
【００３５】
入金機１００は、店舗に来店した顧客が支払った紙幣の真偽を鑑別し、枚数等を管理する。入金機１００により真正と鑑別された紙幣は、現金センターに移送される。計数機３００は、店舗から移送された紙幣の真偽を鑑別し、枚数等を管理する。整理機４００は、計数機３００により真正と鑑別された紙幣の真偽を鑑別し、正損を判定し、金種毎に分けて収納する。サーバー装置２００は、紙幣の鑑別結果等を管理する。サーバー装置２００は、例えばパーソナルコンピュータ等のコンピュータによって構成される。
【００３６】
入金機１００、サーバー装置２００、計数機３００、整理機４００は、それぞれ、ネットワーク２０に接続されている。ネットワーク２０は、例えば、有線又は無線のローカルエリアネットワーク（ＬＡＮ）を含んでもよく、インターネットを含んでもよい。
【００３７】
入金機１００と、サーバー装置２００とは、ネットワーク２０の例えばインターネットを介して、互いに通信可能に構成されている。計数機３００及び整理機４００と、サーバー装置２００とは、ネットワーク２０の例えばＬＡＮを介して、互いに通信可能に構成されている。
【００３８】
図２は、図１の紙幣鑑別システム１０に含まれる入金機１００の構成例を概略的に示すブロック図である。図３は、紙幣１９０の搬送路の近傍に配置された受光素子アレイ１１６と、搬送される紙幣１９０とを概略的に示す図である。
【００３９】
図２に示されるように、入金機１００は、検出部１１０、メモリ１２０、搬送部１３０、収納カセット１４０、通信インターフェース（ＩＦ）回路１５０、中央演算処理装置（ＣＰＵ）１６０を備える。検出部１１０は、紫外線（ＵＶ）センサ１１１、磁気センサ１１２、カメラ１１３、可視光センサ１１４を含む。
【００４０】
メモリ１２０は、例えば半導体メモリ等により構成される。メモリ１２０は、例えばリードオンリーメモリ（ＲＯＭ）、ランダムアクセスメモリ（ＲＡＭ）、電気的に消去書き換え可能なＲＯＭ（ＥＥＰＲＯＭ）などを含む。メモリ１２０のＲＯＭは、ＣＰＵ１６０を動作させる本実施形態の制御プログラムを記憶する。ＣＰＵ１６０は、メモリ１２０に記憶された本実施形態の制御プログラムに従って動作することによって、読取制御部１６１、真偽識別部１６２、搬送制御部１６３、通信制御部１６４として機能する。ＣＰＵ１６０の各機能は、後述される。
【００４１】
搬送部１３０は、ＣＰＵ１６０に接続され、搬送制御部１６３により制御されて、動作する。搬送部１３０は、搬送路に沿って紙幣を搬送するためのモータ、搬送路を通過する紙幣を検出するセンサ等を含む。搬送部１３０は、投入口に積層された紙幣の束から紙幣を一枚ずつ繰り出して検出部１１０に搬送する。搬送部１３０は、検出部１１０を通過した紙幣のうち、真正と鑑別された紙幣を収納カセット１４０に搬送し、偽と鑑別された紙幣を収納カセット１４０とは別に設けられたリジェクト部（図示省略）に搬送する。
【００４２】
収納カセット１４０は、真正と鑑別された紙幣を収納する。収納カセット１４０は、ＣＰＵ１６０に接続され、収納する紙幣が満杯になったことを検出する満杯センサ（図示省略）を含む。ＣＰＵ１６０は、満杯センサによって収納カセット１４０に収納された紙幣が満杯になったことが検出されると、搬送部１３０による紙幣の搬送を停止する。収納カセット１４０は、入金機１００から取り出し可能に構成されてもよい。この場合、紙幣は収納カセット１４０に収納されたまま移送可能となる。
【００４３】
通信ＩＦ回路１５０は、ＣＰＵ１６０に接続され、通信制御部１６４の制御に従って動作する。通信ＩＦ回路１５０は、ネットワーク２０を介して、サーバー装置２００と通信する。通信ＩＦ回路１５０は、ＣＰＵ１６０の通信制御部１６４から入力された送信すべき前工程データ（後述）を収容した通信信号を、ネットワーク２０で用いられる通信プロトコルに従って生成する。通信ＩＦ回路１５０は、ネットワーク２０を介して、この生成した通信信号をサーバー装置２００に送信する。
【００４４】
検出部１１０のＵＶセンサ１１１は、紫外光を紙幣に向けて照射する発光素子と、紫外光が紙幣により反射された反射光を受光する受光素子とを含む。ＵＶセンサ１１１は、受光素子により受光された反射光に応じた紫外光信号をＣＰＵ１６０に出力する。検出部１１０の磁気センサ１１２は、搬送部１３０により搬送される紙幣から出力される磁気を検出し、検出した磁気に応じた磁気信号をＣＰＵ１６０に出力する。検出部１１０のカメラ１１３は、紙幣を撮像し、撮像によって得られた撮像信号をＣＰＵ１６０に出力する。
【００４５】
検出部１１０の可視光センサ１１４は、図３に示されるように、複数（本実施形態では、例えば８個）の受光素子１１５（本実施形態では、例えばフォトダイオード）を含む受光素子アレイ１１６と、複数（本実施形態では、例えば８個）の発光素子（本実施形態では、例えば発光ダイオード）を含む発光素子アレイ（図示省略）とを含む。受光素子アレイ１１６と発光素子アレイとは、それぞれ、搬送部１３０によって搬送される紙幣１９０を挟んで、紙幣１９０の一方面側と他方面側とに配置されている。
【００４６】
受光素子アレイ１１６は、紙幣１９０に設けられた透かし領域１９１をカバーする長さを有する。受光素子アレイ１１６に含まれる複数の受光素子１１５は、紙幣１９０の搬送方向ＤＲ１に直交する方向に並ぶ。発光素子アレイに含まれる各発光素子は、受光素子アレイ１１６に含まれる各受光素子１１５に対向する位置に配置されている。受光素子アレイ１１６に含まれる各受光素子１１５は、発光素子アレイに含まれる各発光素子から出力された光が紙幣１９０を透過した透過光を受光し、受光した透過光に応じた可視光信号をＣＰＵ１６０に出力する。
【００４７】
ＣＰＵ１６０の読取制御部１６１は、カメラ１１３から出力された撮像信号に対して画像処理を行って、英数字からなる記番号１９２（図３）を読み取る。記番号１９２は、紙幣の通し番号を表す。このため、記番号１９２（特定記号の一例に相当）を読み取ることによって、紙幣を特定することができる。
【００４８】
ＣＰＵ１６０の真偽識別部１６２は、ＵＶセンサ１１１から出力される紫外光信号と、磁気センサ１１２から出力される磁気信号と、可視光センサ１１４から出力される可視光信号とに基づき、搬送部１３０によって搬送される紙幣の真偽を鑑別する。真偽識別部１６２は、真偽の鑑別結果を、鑑別対象の紙幣から読取制御部１６１によって読み取られた記番号に対応付けた前工程データを生成し、生成した前工程データをメモリ１２０に保存する。真偽識別部１６２は、真偽の識別結果を搬送制御部１６３に通知する。
【００４９】
搬送制御部１６３は、例えば入金機１００の外面に設けられたスタートスイッチが操作されると搬送部１３０の動作を開始させ、投入口に積層された紙幣を１枚ずつ繰り出して、検出部１１０に搬送する。搬送制御部１６３は、検出部１１０に搬送された紙幣が、真偽識別部１６２によって真正と鑑別されると、紙幣を収納カセット１４０に搬送する。搬送制御部１６３は、検出部１１０に搬送された紙幣が真偽識別部１６２によって偽と鑑別されると、収納カセット１４０への搬送路から分岐された搬送路に沿って紙幣をリジェクト部（図示省略）に搬送する。
【００５０】
図４は、図１の紙幣鑑別システム１０に含まれるサーバー装置２００の構成例を概略的に示すブロック図である。サーバー装置２００は、入金機１００から送信された紙幣の識別データを管理する。サーバー装置２００は、図４に示されるように、通信ＩＦ回路２１０，２２０、メモリ２３０、ＣＰＵ２４０を備える。ＣＰＵ２４０は、通信制御部２４１を含む。
【００５１】
通信ＩＦ回路２１０，２２０は、ＣＰＵ２４０に接続され、ＣＰＵ２４０の通信制御部２４１の制御に従って動作する。通信ＩＦ回路２１０は、ネットワーク２０を介して、入金機１００から送信された通信信号を受信する。通信ＩＦ回路２１０は、受信した通信信号に含まれる前工程データを取り出し、取り出した前工程データをＣＰＵ２４０に出力する。
【００５２】
通信ＩＦ回路２２０は、ネットワーク２０を介して、計数機３００及び整理機４００と通信する。通信ＩＦ回路２２０は、ＣＰＵ２４０から入力された前工程データを収容した通信信号を、ネットワーク２０で用いられる通信プロトコルに従って生成する。通信ＩＦ回路２２０は、ネットワーク２０を介して、この生成した通信信号を計数機３００又は整理機４００に送信する。通信ＩＦ回路２２０は、例えばＩＥＥＥ８０２．１１規格に従った通信回路を含んでもよい。
【００５３】
メモリ２３０は、例えば半導体メモリ等により構成される。メモリ２３０は、例えばＲＯＭ、ＲＡＭ、ＥＥＰＲＯＭなどを含む。メモリ２３０のＲＯＭは、ＣＰＵ２４０を動作させる本実施形態の制御プログラムを記憶する。
【００５４】
ＣＰＵ２４０は、メモリ２３０に記憶された制御プログラムに従って動作することによって、通信制御部２４１として機能する。通信制御部２４１は、入金機１００から送信され通信ＩＦ回路２１０により受信された前工程データをメモリ２３０に保存する。通信制御部２４１は、メモリ２３０に保存されている前工程データのうち、特定の記番号に対応するデータの送信を計数機３００又は整理機４００から要求されると、該当するデータをメモリ２３０から読み出し、読み出したデータを収容する通信信号を生成し、生成した通信信号を計数機３００又は整理機４００に送信する。
【００５５】
図５は、図１の紙幣鑑別システム１０に含まれる計数機３００の構成例を概略的に示すブロック図である。図６は、入金機１００及び計数機３００における紙幣の真偽鑑別手法の一例を説明するためのタイミングチャートである。
【００５６】
図５に示されるように、計数機３００は、図２に示される入金機１００と、ほぼ同様の構成を有している。すなわち、計数機３００は、検出部３１０、メモリ３２０、搬送部３３０、収納部３４０、通信ＩＦ回路３５０、ＣＰＵ３６０を備える。検出部３１０は、ＵＶセンサ３１１、磁気センサ３１２、カメラ３１３、可視光センサ３１４を含む。
【００５７】
メモリ３２０は、例えば半導体メモリ等により構成される。メモリ３２０は、例えばＲＯＭ、ＲＡＭ、ＥＥＰＲＯＭなどを含む。メモリ３２０のＲＯＭは、ＣＰＵ３６０を動作させる本実施形態の制御プログラムを記憶する。ＣＰＵ３６０は、メモリ３２０に記憶された本実施形態の制御プログラムに従って動作することによって、読取制御部３６１、真偽識別部３６２、搬送制御部３６３、通信制御部３６４として機能する。
【００５８】
搬送部３３０は、入金機１００の搬送部１３０（図２）と同様の機能を果たす。すなわち、搬送部３３０は、ＣＰＵ３６０に接続され、搬送制御部３６３により制御されて、動作する。収納部３４０は、入金機１００の収納カセット１４０（図２）と同様の機能を果たす。すなわち、収納部３４０は、真正と鑑別された紙幣を収納する。
【００５９】
通信ＩＦ回路３５０は、ＣＰＵ３６０に接続され、通信制御部３６４により制御されて、動作する。通信ＩＦ回路３５０は、ネットワーク２０を介して、サーバー装置２００と通信する。通信ＩＦ回路３５０は、計数機３００が紙幣の真偽の鑑別を開始するとき、例えば投入口に紙幣の束が積層されたことが検出されると、前工程データの送信を要求する通信信号をサーバー装置２００に送信する。通信ＩＦ回路３５０は、サーバー装置２００から送信された通信信号を受信すると、受信した通信信号から前工程データを取り出し、取り出した前工程データをＣＰＵ３６０に出力する。ＣＰＵ３６０の通信制御部３６４は、前工程データをメモリ３２０に保存する。通信ＩＦ回路３５０は、サーバー装置２００の通信ＩＦ回路２２０（図４）と同じ通信規格に従った通信回路を含む。
【００６０】
検出部３１０のＵＶセンサ３１１、磁気センサ３１２、カメラ３１３、可視光センサ３１４は、それぞれ、入金機１００の検出部１１０のＵＶセンサ１１１、磁気センサ１１２、カメラ１１３、可視光センサ１１４（図２）と同じ機能を果たす。
【００６１】
ＣＰＵ３６０の読取制御部３６１は、入金機１００のＣＰＵ１６０の読取制御部１６１（図２）と同じ機能を果たす。すなわち、読取制御部３６１は、カメラ３１３から出力された撮像信号に対して画像処理を行って、紙幣に記載された英数字からなる記番号を読み取る。読取制御部３６１は、読み取った記番号をメモリ３２０に保存する。
【００６２】
ＣＰＵ３６０の真偽識別部３６２は、ＵＶセンサ３１１から出力される紫外光信号と、磁気センサ３１２から出力される磁気信号と、可視光センサ３１４から出力される可視光信号とに基づき、搬送部３３０によって搬送される紙幣の真偽を鑑別する。
【００６３】
ここで、図３、図６を用いて、本実施形態の入金機１００及び計数機３００における真偽鑑別手法の一例が説明される。本実施形態では、入金機１００の可視光センサ１１４と、計数機３００の可視光センサ３１４とは、同一構成を有する。すなわち、計数機３００の可視光センサ３１４は、図３に示される受光素子アレイ１１６を含む。ここでは、真偽鑑別手法の一例として、入金機１００の可視光センサ１１４及び計数機３００の可視光センサ３１４に含まれる受光素子アレイ１１６の各受光素子１１５から出力される可視光信号を用いた例が説明される。なお、図６に記載の数値は、一例であって、可視光センサ１１４，３１４の特性等に応じて変化するのは言うまでもない。
【００６４】
図６のセクション（Ａ）は、紙幣１９０の透かし領域１９１が清浄な場合に各受光素子１１５から出力される可視光信号ＳＧｎの一例を示す。図６のセクション（Ｂ）は、入金機１００において、紙幣１９０の透かし領域１９１に汚れ領域１９１ａ（図３）が存在する場合に、汚れ領域１９１ａに対向する受光素子１１５ａ（図３）から出力される可視光信号ＳＧａの一例を示す。図６のセクション（Ｃ）は、計数機３００において、紙幣１９０の透かし領域１９１に汚れ領域１９１ａ（図３）が存在する場合に、汚れ領域１９１ａに対向する受光素子１１５ａ（図３）から出力される可視光信号ＳＧｂの一例を示す。
【００６５】
まず、図６のセクション（Ａ）を参照して、入金機１００において、紙幣１９０の透かし領域１９１（図３）が清浄な場合が説明される。搬送される紙幣１９０が受光素子１１５の対向位置に到達しても、最初は紙幣１９０によって遮光されるため、可視光信号ＳＧｎの電圧レベルは上昇しない。その後、透かし領域１９１の前端が受光素子１１５の対向位置に到達する時刻Ｔ１に、可視光信号ＳＧｎの電圧レベルが上昇する。その後、透かし領域１９１の後端が受光素子１１５の対向位置に到達する時刻Ｔ２に、可視光信号ＳＧｎの電圧レベルが低下して、最初の状態に戻る。
【００６６】
図６のセクション（Ａ）に示されるように、可視光信号ＳＧｎは、識別設定値ＴＨ１より高い電圧値ＶＮ１に上昇する。したがって、入金機１００の真偽識別部１６２は、紙幣１９０を真正と鑑別する。図６のセクション（Ａ）の例では、電圧値ＶＮ１は、８［Ｖ］であり、識別設定値ＴＨ１は、４［Ｖ］に設定されている。したがって、両者のレベル差である識別余裕値ＭＧ１は、４［Ｖ］である。
【００６７】
次に、図６のセクション（Ｂ）を参照して、入金機１００において、紙幣１９０の透かし領域１９１に汚れ領域１９１ａ（図３）が存在する場合が説明される。搬送される紙幣１９０が受光素子１１５ａの対向位置に到達しても、最初は紙幣１９０によって遮光されるため、可視光信号ＳＧａの電圧レベルは上昇しない。その後、透かし領域１９１の前端が受光素子１１５ａの対向位置に到達する時刻Ｔ１に、可視光信号ＳＧａの電圧レベルが識別設定値ＴＨ１より高い電圧値ＶＮ１に上昇する。ここまでは、図６のセクション（Ａ）に示される可視光信号ＳＧｎと同じである。
【００６８】
その後、透かし領域１９１の汚れ領域１９１ａ（図３）の前端が受光素子１１５ａの対向位置に到達する時刻Ｔ１１に、可視光信号ＳＧａの電圧レベルが電圧値ＶＡ１に低下する。その後、透かし領域１９１の汚れ領域１９１ａ（図３）の後端が受光素子１１５ａの対向位置に到達する時刻Ｔ１２に、可視光信号ＳＧａの電圧レベルが再び電圧値ＶＮ１に上昇する。その後、透かし領域１９１の後端が受光素子１１５の対向位置に到達する時刻Ｔ２に、可視光信号ＳＧａの電圧レベルが低下して、最初の状態に戻る。
【００６９】
図６のセクション（Ｂ）に示されるように、可視光信号ＳＧａの電圧レベルは、受光素子１１５ａが汚れ領域１９１ａに対向する時間において、電圧値ＶＮ１から電圧値ＶＡ１に低下するが、電圧値ＶＡ１は、識別設定値ＴＨ１より高い。したがって、入金機１００の真偽識別部１６２は、紙幣１９０を真正と鑑別する。図６のセクション（Ｂ）の例では、電圧値ＶＡ１は、４．５［Ｖ］であり、識別設定値ＴＨ１は、４［Ｖ］に設定されている。したがって、両者のレベル差である識別余裕値ＭＧ２は、０．５［Ｖ］である。
【００７０】
次に、図６のセクション（Ｃ）を参照して、計数機３００において、紙幣１９０の透かし領域１９１に汚れ領域１９１ａ（図３）が存在する場合が説明される。可視光信号ＳＧｂの電圧レベルが、時刻Ｔ１に上昇し、受光素子１１５ａが汚れ領域１９１ａに対向する時刻Ｔ１１から時刻Ｔ１２までの時間は低下し、時刻Ｔ１２に上昇し、時刻Ｔ２に最初の状態に戻るという点は、図６のセクション（Ｂ）と同じである。
【００７１】
図６のセクション（Ｂ）と異なる点は、受光素子１１５ａが汚れ領域１９１ａに対向する時刻Ｔ１１から時刻Ｔ１２までの時間において、可視光信号ＳＧｂの電圧レベルが、識別設定値ＴＨ１より低い電圧値ＶＢ１まで低下することである。これは、例えば、入金機１００の可視光センサ１１４に含まれる受光素子１１５ａと、計数機３００の可視光センサ３１４に含まれる受光素子１１５ａとの特性のばらつきが原因であると考えられる。
【００７２】
したがって、計数機３００の真偽識別部３６２は、電圧値ＶＢ１が識別設定値ＴＨ１より低いため、一旦、紙幣１９０を偽と鑑別する。
【００７３】
本実施形態では、真偽識別部３６２が紙幣１９０を偽と鑑別すると、真偽識別部３６２は、可視光信号の電圧値が識別設定値の近傍であるか否かを確認する。言い換えると、真偽識別部３６２は、可視光信号の電圧値（第２検出信号の一例に相当）と識別設定値（第２設定値の一例に相当）とのレベル差が、所定値（本実施形態では例えば１５％、第２閾値の一例に相当）未満であるか否かを確認する。
【００７４】
図６のセクション（Ｃ）の例では、可視光信号の電圧値ＶＢ１が３．６［Ｖ］であり、識別設定値ＴＨ１が４［Ｖ］であるので、両者のレベル差は０．４［Ｖ］である。したがって、このレベル差を識別設定値ＴＨ１で除算した商は、１０％であり、１５％未満である。その結果、真偽識別部３６２は、可視光信号の電圧値と識別設定値との差が、所定値未満であると判断する。
【００７５】
可視光信号の電圧値と識別設定値との差が、所定値未満であると判断すると、真偽識別部３６２は、メモリ３２０に保存されている前工程データから、現在の鑑別対象の紙幣の記番号に対応付けられた識別設定値ＴＨ１及び識別余裕値ＭＧ１を取得する。真偽識別部３６２は、取得した識別余裕値ＭＧ１を識別設定値ＴＨ１で除算した商である識別余裕値／識別設定値が、所定値未満であるか否かを判断する。識別余裕値／識別設定値が所定値未満であると判断すると、真偽識別部３６２は、識別設定値ＴＨ１を識別設定値ＴＨ１より小さい識別設定値ＴＨ２に緩和する。真偽識別部３６２は、本実施形態では例えば、識別設定値ＴＨ２を識別設定値ＴＨ１の８０％とする。したがって、図６のセクション（Ｃ）の例では、識別設定値ＴＨ１が４［Ｖ］であるので、識別設定値ＴＨ２は、３．２［Ｖ］になる。
【００７６】
そして、真偽識別部３６２は、電圧値ＶＢ１と緩和された識別設定値ＴＨ２とを比較して、紙幣１９０の真偽を鑑別する。図６のセクション（Ｃ）の例では、電圧値ＶＢ１が３．６［Ｖ］であり、識別設定値ＴＨ２が３．２［Ｖ］であるので、真偽識別部３６２は、紙幣１９０を真正と鑑別する。
【００７７】
なお、図６のセクション（Ａ）、（Ｂ）の識別設定値ＴＨ１（第１設定値の一例に相当）は、予め設定されて、メモリ１２０に記憶されている。図６のセクション（Ｃ）の識別設定値ＴＨ１（第２設定値の一例に相当）は、予め設定されて、メモリ３２０に記憶されている。
【００７８】
図５に戻って、ＣＰＵ３６０の搬送制御部３６３は、入金機１００の搬送制御部１６３（図２）と同じ機能を果たす。すなわち、搬送部３３０の動作を制御して、紙幣１９０の搬送を制御する。ＣＰＵ３６０の通信制御部３６４は、サーバー装置２００の通信ＩＦ回路２２０を制御する通信制御部２４１（図４）と同様の機能を果たす。すなわち、通信制御部３６４は、通信ＩＦ回路３５０の動作を制御して、サーバー装置２００との通信を制御する。
【００７９】
図７は、図１の紙幣鑑別システム１０に含まれる整理機４００の構成例を概略的に示すブロック図である。図７に示されるように、整理機４００は、入金機１００（図２）又は計数機３００（図５）と、ほぼ同様の構成を有している。すなわち、整理機４００は、検出部４１０、メモリ４２０、搬送部４３０、収納部４４０、通信ＩＦ回路４５０、ＣＰＵ４６０を備える。検出部４１０は、ＵＶセンサ４１１、磁気センサ４１２、カメラ４１３、可視光センサ４１４を含む。
【００８０】
メモリ４２０は、例えば半導体メモリ等により構成される。メモリ４２０は、例えばＲＯＭ、ＲＡＭ、ＥＥＰＲＯＭなどを含む。メモリ４２０のＲＯＭは、ＣＰＵ４６０を動作させる本実施形態の制御プログラムを記憶する。ＣＰＵ４６０は、メモリ４２０に記憶された本実施形態の制御プログラムに従って動作することによって、読取制御部４６１、真偽識別部４６２、搬送制御部４６３、通信制御部４６４、正損判別部４６５として機能する。
【００８１】
搬送部４３０は、計数機３００の搬送部３３０（図５）と同様の機能を果たす。すなわち、搬送部４３０は、ＣＰＵ４６０に接続され、搬送制御部４６３により制御されて、動作する。収納部４４０は、計数機３００の収納部３４０（図５）と同様の機能を果たす。すなわち、収納部４４０は、真正と鑑別された紙幣を収納する。
【００８２】
通信ＩＦ回路４５０は、ＣＰＵ４６０に接続され、通信制御部４６４により制御されて、計数機３００の通信ＩＦ回路３５０（図５）と同様に動作する。すなわち、通信ＩＦ回路４５０は、ネットワーク２０を介して、サーバー装置２００と通信する。通信ＩＦ回路４５０は、整理機４００が紙幣の真偽の鑑別を開始するとき、例えば投入口に紙幣の束が積層されたことが検出されると、前工程データの送信を要求する通信信号をサーバー装置２００に送信する。通信ＩＦ回路４５０は、サーバー装置２００から送信された通信信号を受信すると、受信した通信信号から前工程データを取り出し、取り出した前工程データをＣＰＵ４６０に出力する。ＣＰＵ４６０の通信制御部４６４は、前工程データをメモリ４２０に保存する。通信ＩＦ回路４５０は、サーバー装置２００の通信ＩＦ回路２２０（図４）と同じ通信規格に従った通信回路を含む。
【００８３】
検出部４１０のＵＶセンサ４１１、磁気センサ４１２、カメラ４１３、可視光センサ４１４は、それぞれ、入金機１００の検出部１１０のＵＶセンサ１１１、磁気センサ１１２、カメラ１１３、可視光センサ１１４（図２）と同じ機能を果たす。
【００８４】
ＣＰＵ４６０の読取制御部４６１は、入金機１００のＣＰＵ１６０の読取制御部１６１（図２）と同じ機能を果たす。ＣＰＵ４６０の真偽識別部４６２は、計数機３００のＣＰＵ３６０の真偽識別部３６２（図５）と同じ機能を果たす。ＣＰＵ４６０の搬送制御部４６３は、計数機３００の搬送制御部３６３（図５）と同じ機能を果たす。ＣＰＵ４６０の通信制御部４６４は、計数機３００の通信制御部３６４（図５）と同じ機能を果たす。
【００８５】
ＣＰＵ４６０の正損判別部４６５は、紙幣１９０（図３）の正損判別を行う。正損判別とは、真正と鑑別された紙幣のうち、状態の良い正券と、汚れ、折れ、破れなどの損傷がある損券とを判別することをいう。整理機４００は、正券と損券とがそれぞれ別々の収納カセットに収納されるように構成されてもよい。
【００８６】
本実施形態において、入金機１００は、第１紙葉類識別装置の一例に相当し、計数機３００は、第２紙葉類識別装置の一例に相当し、整理機４００は、第３紙葉類識別装置の一例に相当する。カメラ１１３及び読取制御部１６１は、第１読取部の一例に相当し、カメラ３１３及び読取制御部３６１は、第２読取部の一例に相当し、カメラ４１３及び読取制御部４６１は、第３読取部の一例に相当する。ＵＶセンサ１１１、磁気センサ１１２、可視光センサ１１４及び真偽識別部１６２は、第１鑑別部の一例に相当し、ＵＶセンサ３１１、磁気センサ３１２、可視光センサ３１４及び真偽識別部３６２は、第２鑑別部の一例に相当し、ＵＶセンサ４１１、磁気センサ４１２、可視光センサ４１４及び真偽識別部４６２は、第３鑑別部の一例に相当する。収納カセット１４０は、第１収納部の一例に相当し、収納部３４０は、第２収納部の一例に相当し、収納部４４０は、第３収納部の一例に相当する。通信ＩＦ回路１５０及び通信制御部１６４は、第１通信部の一例に相当し、通信ＩＦ回路３５０及び通信制御部３６４は、第１取得部の一例に相当し、通信ＩＦ回路４５０及び通信制御部４６４は、第２取得部の一例に相当する。サーバー装置２００は、鑑別データ管理装置の一例に相当し、通信ＩＦ回路２１０，２２０及び通信制御部２４１は、管理通信部の一例に相当し、メモリ２３０は、管理記憶部の一例に相当する。
【００８７】
（入金機の動作例）
図８は、入金機１００の動作例を概略的に示すフローチャートである。例えば、入金機１００の投入口に紙幣の束がセットされると、図８の動作が開始される。その後、投入口にセットされた紙幣の束がなくなるまで、図８の動作は、繰り返し実行される。
【００８８】
ステップＳ８００において、搬送制御部１６３は、搬送部１３０の動作を制御して、紙幣の搬送を開始する。ステップＳ８０５において、真偽識別部１６２は、紙幣が真正であるか否かを鑑別する。真偽識別部１６２は、例えば、可視光センサ１１４から出力される可視光信号の電圧値（第１検出信号の一例に相当）と、識別設定値ＴＨ１（第１設定値の一例に相当）とを比較し、可視光信号の電圧値が識別設定値ＴＨ１を超えていれば、紙幣が真正であると鑑別する。
【００８９】
紙幣が偽であれば（ステップＳ８０５でＮＯ）、処理は、ステップＳ８２０に進む。一方、紙幣が真正であれば（ステップＳ８０５ＹＥＳ）、処理は、ステップＳ８１０に進む。ステップＳ８１０において、真偽識別部１６２は、ステップＳ８０５の処理で得られた識別余裕値ＭＧ１（図６）をメモリ１２０に保存する。
【００９０】
ステップＳ８１５において、読取制御部１６１は、記番号１９２（図３）を読み取れたか否かを判定する。記番号１９２を読み取れなければ（ステップＳ８１５でＮＯ）、処理は、ステップＳ８２０に進む。ステップＳ８２０において、搬送制御部１６３は、紙幣の搬送先を切り替えて、紙幣をリジェクト部に搬送するとともに、ステップＳ８０５でメモリ１２０に保存した識別余裕値ＭＧ１をメモリ１２０から削除する。
【００９１】
一方、記番号１９２を読み取れると（ステップＳ８１５でＹＥＳ）、処理は、ステップＳ８２５に進む。ステップＳ８２５において、真偽識別部１６２は、記番号１９２に、識別設定値ＴＨ１、識別余裕値ＭＧ１、真偽鑑別結果を対応付けた、前工程データを生成する。ステップＳ８３０において、通信制御部１６４は、通信ＩＦ回路１５０の動作を制御して、ネットワーク２０を介して、生成された前工程データをサーバー装置２００に送信する。ステップＳ８３５において、搬送制御部１６３は、紙幣を収納カセット１４０に収納する。
【００９２】
（計数機の動作例）
図９は、計数機３００における前工程データ取得手順の一例を概略的に示すフローチャートである。例えば、計数機３００の投入口に紙幣の束が新たにセットされると自動的に、又は、計数機３００に設けられたスタートスイッチが操作されると、図９の動作が開始される。
【００９３】
ステップＳ９０５において、通信制御部３６４は、前工程データを要求する通信信号をサーバー装置２００に送信する。ステップＳ９１０において、通信制御部３６４は、サーバー装置２００から送信された前工程データを受信する。ステップＳ９１５において、通信制御部３６４は、受信した前工程データをメモリ３２０に保存する。その後、図９の処理は終了する。
【００９４】
図１０は、計数機３００の動作例を概略的に示すフローチャートである。ステップＳ１０００において、ＣＰＵ３６０は、図９の動作により前工程データがメモリ３２０に保存されているか否かを判別する。前工程データがメモリ３２０に保存されていなければ（ステップＳ１０００でＮＯ）、図１０の処理は終了する。一方、前工程データがメモリ３２０に保存されていれば（ステップＳ１０００でＹＥＳ）、処理はステップＳ１００５に進む。
【００９５】
ステップＳ１００５において、搬送制御部３６３は、搬送部３３０の動作を制御して、紙幣の搬送を開始する。ステップＳ１０１０において、真偽識別部３６２は、紙幣が真正であるか否かを鑑別する。紙幣が真正であれば（ステップＳ１０１０でＹＥＳ）、処理は、ステップＳ１０５０に進む。一方、紙幣が真正でなければ（ステップＳ１０１０でＮＯ）、処理は、ステップＳ１０１５に進む。
【００９６】
ステップＳ１０１５において、読取制御部３６１は、記番号１９２（図３）を読み取れたか否かを判定する。記番号１９２を読み取れなければ（ステップＳ１０１５でＮＯ）、処理は、ステップＳ１０５５に進む。一方、記番号１９２を読み取れると（ステップＳ１０１５でＹＥＳ）、処理は、ステップＳ１０２０に進む。ステップＳ１０２０において、読取制御部３６１は、ステップＳ１０１５の処理で読み取った記番号１９２（図３）をメモリ３２０に保存する。
【００９７】
ステップＳ１０２５において、真偽識別部３６２は、ステップＳ１０１０における可視光信号と識別設定値ＴＨ１とのレベル差を識別設定値ＴＨ１で除算した商であるレベル差／識別設定値が、所定値（本実施形態では例えば１５％）未満であるか否かを判別する。レベル差／識別設定値が所定値以上であれば（ステップＳ１０２５でＮＯ）、処理はステップＳ１０５５に進む。一方、レベル差／識別設定値が所定値未満であれば（ステップＳ１０２５でＹＥＳ）、処理はステップＳ１０３０に進む。
【００９８】
ステップＳ１０３０において、真偽識別部３６２は、メモリ３２０に保存されている前工程データから、ステップＳ１０２０でメモリ３２０に保存した記番号に対応付けられた識別設定値ＴＨ１と識別余裕値ＭＧ１（レベル差の一例に相当、第１レベル差の一例に相当）とを取得する。ステップＳ１０３５において、真偽識別部３６２は、ステップＳ１０３０で取得した識別余裕値ＭＧ１を識別設定値ＴＨ１で除算した商である識別余裕値／識別設定値が、所定値（本実施形態では例えば１５％、第１閾値の一例に相当）未満であるか否かを判別する。識別余裕値／識別設定値が所定値以上であれば（ステップＳ１０３５でＮＯ）、処理はステップＳ１０５５に進む。一方、識別余裕値／識別設定値が所定値未満であれば（ステップＳ１０３５でＹＥＳ）、処理は、ステップＳ１０４０に進む。
【００９９】
ステップＳ１０４０において、真偽識別部３６２は、計数機３００の識別設定値ＴＨ１を８０％に緩和した識別設定値ＴＨ２を生成する。ステップＳ１０４５において、真偽識別部３６２は、緩和された識別設定値ＴＨ２とステップＳ１０１０で得られた識別結果とを比較して、紙幣が真正であるか否かを鑑別する。紙幣が真正であれば（ステップＳ１０４５でＹＥＳ）、処理は、ステップＳ１０５０に進む。一方、紙幣が真正でなければ（ステップＳ１０４５でＮＯ）、処理は、ステップＳ１０５５に進む。
【０１００】
ステップＳ１０５０において、搬送制御部１６３は、紙幣を収納部３４０に収納して、図１０の処理を終了する。ステップＳ１０５５において、搬送制御部１６３は、紙幣の搬送先を切り替えて、リジェクト部に搬送するとともに、ステップＳ１０２０においてメモリ３２０に保存した記番号１９２をメモリ３２０から削除して、図１０の処理を終了する。
【０１０１】
（効果）
以上説明されたように、本実施形態では、計数機３００において紙幣が偽と鑑別されたときに、計数機３００は、その記番号１９２の紙幣が入金機１００において真正と鑑別されたときの識別設定値ＴＨ１、識別余裕値ＭＧ１を取得可能に構成されている。そして、識別余裕値／識別設定値が所定値未満のときに、識別設定値ＴＨ１を８０％の識別設定値ＴＨ２に緩和している。したがって、本実施形態によれば、入金機１００と計数機３００とにおいて、同じ紙幣１９０に対する真偽の鑑別結果が異なるような事態を可能な限り避けることができる。
【０１０２】
入金機１００において、識別余裕値／識別設定値が所定値未満、つまり識別設定値の近傍で紙幣１９０が真と鑑別された場合に（ステップＳ１０３５でＹＥＳ）、計数機３００において識別設定値が緩和される（ステップＳ１０４０）。このため、計数機３００において、紙幣１９０が偽と鑑別される頻度が減少する。その結果、紙幣１９０が真と鑑別されるまで鑑別作業を繰り返すことがなくなるため、鑑別作業の工数を削減することができる。
【０１０３】
（変形された実施形態）
（１）上記実施形態の図８の手順では、紙幣が収納カセット１４０に収納された後で、図８の動作が繰り返し実行されるようになっているが、これに限られない。先に搬送された紙幣に重ならないタイミングで、次の紙幣のための図８の動作が開始されるように構成されてもよい。
【０１０４】
（２）上記実施形態の図８の手順では、紙幣の真偽を鑑別する度に、前工程データがサーバー装置２００に送信されているが、これに限られない。投入口に積層されている全ての紙幣の真偽鑑別が終了した後に、全ての紙幣の前工程データがサーバー装置２００に送信されるように構成されてもよい。
【０１０５】
（３）上記実施形態の図１０の手順では、紙幣が収納部３４０に収納された後で、図１０の動作が繰り返し実行されるようになっているが、これに限られない。先に搬送された紙幣に重ならないタイミングで、次の紙幣のための図１０の動作が開始されるように構成されてもよい。
【０１０６】
（４）上記実施形態の図１０の手順では、ステップＳ１０２５を備え、識別余裕値／識別設定値が所定値未満、つまり識別設定値の近傍で紙幣１９０が偽と鑑別されたときに限って（ステップＳ１０２５でＹＥＳ）、前工程データを取得する（ステップＳ１０３０）ように構成されているが、これに限られない。ステップＳ１０２５を省略し、紙幣が真正でなければ（ステップＳ１０１０でＮＯ）、処理は、直接ステップＳ１０３０に進むように構成されてもよい。
【０１０７】
（５）上記実施形態の図１０のステップＳ１０２５では、計数機３００における（可視光信号と識別設定値とのレベル差）／識別設定値が所定値未満であるか否かが判別されているが、これに限られない。可視光信号と識別設定値とのレベル差が所定値未満であるか否かが判別されるように構成されてもよい。また、所定値が１５％としているが、これに限られず、他の値であってもよい。
【０１０８】
（６）上記実施形態の図１０のステップＳ１０３５では、入金機１００における識別余裕値／識別設定値が所定値未満であるか否かが判別されているが、これに限られない。識別余裕値が所定値未満であるか否かが判別されるように構成されてもよい。
【０１０９】
（７）上記実施形態の例えば図６では、入金機１００で用いられる識別設定値ＴＨ１と、計数機３００で用いられる識別設定値ＴＨ１とは、同じ値に設定されているが、これに限られず、異なる値に設定されてもよい。例えば、入金機１００で用いられる可視光センサ１１４と、計数機３００で用いられる可視光センサ３１４とが、同じ特性を有するものであれば、両者の識別設定値ＴＨ１を同じ値に設定すればよい。入金機１００で用いられる可視光センサ１１４と、計数機３００で用いられる可視光センサ３１４とが、異なる特性を有するものであれば、両者の識別設定値ＴＨ１をそれぞれの特性に応じた異なる値に設定すればよい。
【０１１０】
（８）上記実施形態では、図６又はステップＳ１０４０（図１０）において、計数機３００は、識別設定値ＴＨ１を８０％の識別設定値ＴＨ２に緩和しているが、緩和される識別設定値ＴＨ２は、識別設定値ＴＨ１の８０％に限られない。緩和される識別設定値ＴＨ２は、例えば識別設定値ＴＨ１の８０％〜９０％の範囲のいずれかの値でもよい。
【０１１１】
（９）上記実施形態では、入金機１００からサーバー装置２００に送信される前工程データは、識別余裕値ＭＧ１を含んでいるが、これに限られない。前工程データは、識別余裕値ＭＧ１に代えて、識別余裕値ＭＧ１を識別設定値ＴＨ１で除算した商である識別余裕値／識別設定値を含むようにしてもよい。
【０１１２】
（１０）上記実施形態において、整理機４００も、図９、図１０に示されるフローチャートに従って、動作してもよい。これによって、整理機４００も、計数機３００と同様の効果を得ることができる。
【０１１３】
（１１）上記実施形態では、整理機４００のみが正損判別部４６５を備えているが、これに限られない。入金機１００も正損判別部を備えてもよい。入金機１００に代えて又は加えて、計数機３００も正損判別部を備えてもよい。
【０１１４】
（１２）上記実施形態の紙幣鑑別システム１０は、整理機４００を備えているが、これに限られず、整理機４００を備えなくてもよい。
【０１１５】
（１３）上記実施形態の紙幣鑑別システム１０は、紙幣の真偽を鑑別しているが、紙幣に限られない。紙幣鑑別システム１０は、例えば、透かし領域を有する有価証券等の紙葉類の真偽を鑑別してもよい。
【０１１６】
（１４）上記実施形態では、計数機３００は、入金機１００で生成された前工程データ５００を、ネットワーク２０及びサーバー装置２００を介して取得しているが、これに限られず、ネットワーク２０及びサーバー装置２００を介さなくてもよい。例えば、持ち運び可能なメモリを介して、計数機３００は、入金機１００で生成された前工程データ５００を取得してもよい。整理機４００も、同様である。
【０１１７】
入金機１００の通信ＩＦ回路１５０は、通信制御部１６４により制御されて、入金機１００に装着された持ち運び可能メモリに、有線通信で前工程データ５００を送信してもよい。或いは、入金機１００の通信ＩＦ回路１５０は、通信制御部１６４により制御されて、入金機１００に近接配置された持ち運び可能メモリに、近接無線通信で前工程データ５００を送信してもよい。通信ＩＦ回路１５０及び通信制御部１６４は、第１通信部の一例に相当する。
【０１１８】
計数機３００の通信ＩＦ回路３５０は、通信制御部３６４により制御されて、計数機３００に装着された持ち運び可能メモリから、有線通信で前工程データ５００を受信してもよい。或いは、計数機３００の通信ＩＦ回路３５０は、通信制御部３６４により制御されて、計数機３００に近接配置された持ち運び可能メモリから、近接無線通信で前工程データ５００を受信してもよい。通信ＩＦ回路３５０及び通信制御部３６４は、第１取得部の一例に相当する。
【０１１９】
この実施形態では、紙幣鑑別システム１０は、ネットワーク２０及びサーバー装置２００を備えなくてもよい。持ち運び可能メモリは、例えば、ユニバーサルシリアルバス（ＵＳＢ）メモリ、ＳＤカードメモリ等のカード型メモリ、ＩＣタグ、ノート型パーソナルコンピュータ（ＰＣ）を含む。
【符号の説明】
【０１２０】
１０  紙幣鑑別システム
１００  入金機
１１１，３１１，４１１  ＵＶセンサ
１１２，３１２，４１２  磁気センサ
１１３，３１３，４１３  カメラ
１１４，３１４，４１４  可視光センサ
１４０  収納カセット
１５０，３５０，４５０  通信ＩＦ回路
１６１，３６１，４６１  読取制御部
１６２，３６２，４６２  真偽識別部
１６４，３６４，４６４  通信制御部
１９２  記番号
２００  サーバー装置
２１０，２２０  通信ＩＦ回路
２４１  通信制御部
２３０  メモリ
３００  計数機
３４０，４４０  収納部
４００  整理機
ＴＨ１，ＴＨ２  識別設定値
【図１】
2018180888.tif 000003
【図２】
2018180888.tif 000004
【図３】
2018180888.tif 000005
【図４】
2018180888.tif 000006
【図５】
2018180888.tif 000007
【図６】
2018180888.tif 000008
【図７】
2018180888.tif 000009
【図８】
2018180888.tif 000010
【図９】
2018180888.tif 000011
【図１０】
2018180888.tif 000012